(57)【要約】【解決手段】基板上に薄膜層を形成するための方法が与えられる。当該方法は、ドーパント材料を含む薄い表面層を形成する工程、及び絶縁膜、金属膜またはシリサイド膜を形成するよう表面層とドーパント材料との間に反応を生じさせるよう選択された処理パラメータでドープされた表面層を短時間熱処理する工程を含む。ある実施例において、短時間熱処理はドープされた表面層をフラッシュ急速熱処理することによって実行される。処理は５０オングストロームまたはそれ以下の厚さを有する絶縁層を形成するのに使用される。
2005522892.tif 000002
【特許請求の範囲】
【請求項１】
基板上に薄膜層を形成するための方法であって、
ドーパント材料を含む薄い表面層を基板上に形成する工程と、
５０オングストロームまたはそれ以下の厚さを有する絶縁膜、金属膜またはシリサイド膜を形成するべく表面層とドーパント材料との間に反応を生じさせるよう選択された処理パラメータでドープされた表面層を短時間熱処理する工程と、
から成る方法。
【請求項２】
請求項１に記載の方法であって、薄い表面層を形成する工程はドーパント材料の低エネルギーイオンで薄い表面層をプラズマドーピングする工程から成る、ところの方法。
【請求項３】
請求項１に記載の方法であって、薄い表面層を形成する工程はドーパント材料の低エネルギーイオンで薄い表面層をイオン注入する工程から成る、ところの方法。
【請求項４】
請求項１に記載の方法であって、薄い表面層を形成する工程は薄い表面層及びドーパント材料を化学気相成長する工程から成る、ところの方法。
【請求項５】
請求項１に記載の方法であって、薄い表面層を形成する工程は窒素で薄い表面層をドーピングする工程から成る、ところの方法。
【請求項６】
請求項１に記載の方法であって、薄い表面層を形成する工程はハフニウムで薄い表面層をドーピングする工程から成る、ところの方法。
【請求項７】
請求項１に記載の方法であって、薄い表面層を形成する工程はジルコニウムで薄い表面層をドーピングする工程から成る、ところの方法。
【請求項８】
請求項１に記載の方法であって、薄い表面層を形成する工程は薄い酸化シリコン膜を形成する工程から成る、ところの方法。
【請求項９】
請求項１に記載の方法であって、薄い表面層を形成する工程は３０オングストロームまたはそれ以下の厚さを有する薄い表面層を形成する工程から成る、ところの方法。
【請求項１０】
請求項１に記載の方法であって、薄い表面層を形成する工程は２０オングストロームまたはそれ以下の厚さを有する薄い表面層を形成する工程から成る、ところの方法。
【請求項１１】
請求項１に記載の方法であって、薄い表面層を形成する工程は窒素でドープされた薄い酸化シリコン層を形成する工程から成る、ところの方法。
【請求項１２】
請求項１に記載の方法であって、短時間熱処理する工程はドープされた表面層をフラッシュ急速熱処理する工程から成る、ところの方法。
【請求項１３】
請求項１に記載の方法であって、短時間熱処理する工程は、中間温度まで基板を急速加熱する工程及び中間温度より高い最終温度までドープされた表面層をフラッシュ加熱する工程から成る、ところの方法。
【請求項１４】
請求項１に記載の方法であって、短時間熱処理する工程はドープされた表面層を非溶融レーザー処理する工程から成る、ところの方法。
【請求項１５】
請求項１に記載の方法であって、ドープされた表面層を短時間熱処理する工程は約１００ミリ秒またはそれ以下の時間で所望の温度までドープされた表面層を加熱する工程から成る、ところの方法。
【請求項１６】
請求項１に記載の方法であって、ドープされた表面層を短時間熱処理する工程は約１０ミリ秒またはそれ以下の時間で所望の温度までドープされた表面層を加熱する工程から成る、ところの方法。
【請求項１７】
請求項１に記載の方法であって、ドープされた表面層を短時間熱処理する工程は約１０００℃から１４１０℃の範囲の温度で熱処理する工程から成る、ところの方法。
【請求項１８】
請求項１に記載の方法であって、ドープされた表面層を短時間熱処理する工程は約１１５０℃から１３５０℃の範囲の温度で熱処理する工程から成る、ところの方法。
【請求項１９】
請求項１に記載の方法であって、薄い表面層とドーパント材料との間の反応は高い誘電率を有する絶縁層を形成する、ところの方法。
【請求項２０】
シリコン基板上に薄膜層を形成するための方法であって、
窒素を含むドープされた酸化シリコン層をシリコン基板上に形成する工程と、
窒化シリコン、酸窒化シリコンまたはその両方を形成するべく酸化シリコンと窒素との間に反応を生じさせ、かつ基板内への窒素の大きな拡散を回避するよう選択された処理パラメータでドープされた酸化シリコン層を短時間熱処理する工程と、
から成る方法。
【請求項２１】
請求項２０に記載の方法であって、ドープされた酸化シリコン層を形成する工程は低エネルギー窒素イオンで薄い表面層をプラズマドーピングする工程から成る、ところの方法。
【請求項２２】
請求項２０に記載の方法であって、ドープされた酸化シリコン層を形成する工程は低エネルギー窒素イオンで薄い表面層をイオン注入する工程から成る、ところの方法。
【請求項２３】
請求項２０に記載の方法であって、ドープされた酸化シリコン層を形成する工程は窒素を含む酸化層を化学気相成長する工程から成る、ところの方法。
【請求項２４】
請求項２０に記載の方法であって、ドープされた酸化シリコン層は５０オングストロームまたはそれ以下の厚さを有する、ところの方法。
【請求項２５】
請求項２０に記載の方法であって、短時間熱処理する工程はドープされた酸化シリコン層をフラッシュ急速熱処理する工程から成る、ところの方法。
【請求項２６】
請求項２０に記載の方法であって、短時間熱処理する工程は、中間温度までシリコン基板を急速加熱する工程及び中間温度よりも高い最終温度までドープされた酸化シリコン層をフラッシュ加熱する工程から成る、ところの方法。
【請求項２７】
請求項２０に記載の方法であって、短時間熱処理する工程は、ドープされた酸化シリコン層を非溶融レーザー処理する工程から成る、ところの方法。
【請求項２８】
請求項２０に記載の方法であって、ドープされた酸化シリコン層を短時間熱処理する工程は約１００ミリ秒またはそれ以下の時間で所望の温度までドープされた酸化シリコン層を加熱する工程から成る、ところの方法。
【請求項２９】
請求項２０に記載の方法であって、ドープされた酸化シリコン層を短時間熱処理する工程は約１０ミリ秒またはそれ以下の時間で所望の温度までドープされた酸化シリコン層を加熱する工程から成る、ところの方法。
【請求項３０】
請求項２０に記載の方法であって、ドープされた酸化シリコン層を短時間熱処理する工程は約１０００℃から１４１０℃の範囲の温度で熱処理する工程から成る、ところの方法。
【請求項３１】
請求項２０に記載の方法であって、ドープされた酸化シリコン層を短時間熱処理する工程は約１１５０℃から１３５０℃の範囲の温度で熱処理する工程から成る、ところの方法。
【発明の詳細な説明】
【技術分野】
【０００１】
本発明は半導体ウエハのような基板上に薄膜層を形成するための方法に関し、特にフラッシュRTP（急速熱処理）及び非溶融(sub-melt)レーザー処理のような短時間熱処理を使って薄膜層を化学的に形成する方法に関する。本発明は５０オングストロームまたはそれ以下の厚さの絶縁層を形成するのに有効であるがそれに限定されるものではない。
【背景技術】
【０００２】
半導体産業のトレンドは、より小さく、より高速なデバイスに向かっている。特に、半導体デバイスの横寸法及び深さの両方が減少している。発展中の半導体デバイスは１０００オングストローム以下の接合深さを要求し、ついには２００オングストロームまたはそれ以下のオーダーの接合深さを要求するであろう。
【０００３】
高まる縮小化に向かうトレンドにおける重要なひとつの要素はMOSトランジスタのゲート構造である。絶縁層がチャネルを覆い、かつゲート電極が絶縁層上に配置される。従来のデバイスは典型的に二酸化シリコンのゲート絶縁膜を使用していた。
【０００４】
デバイス寸法が減少しかつ動作速度が高まるに従い、ゲート絶縁膜の厚さが減少しなければならない。しかし、厚さが約１.５ナノメートル以下になると、処理が困難となりリーク電流が許容範囲を超える。この問題の提案されたひとつの解決法はより高い誘電率を有する絶縁層の形成を含む。例えば、窒化シリコン及び酸窒化シリコン絶縁層が使用され、酸化ジルコニウム及びハフニウム絶縁層が提案された。これらは例えば、Hiroshi Iwaiらの “ULSI Process Integration for 2005 and beyond”, Electrochemical Society Proceedings Volume 2001-2, page 3-33及びHoward R. Huffらの “The Gate Stack/shallow Junction Challenge for Sub-100 nm Technology Generations”, Electrochemical Society Proceedings Volume 2001-2, page 223-241に記載されている。
【非特許文献１】“ULSI Process Integration for 2005 and beyond”, Electrochemical Society Proceedings Volume 2001-2, page 3-33
【非特許文献２】“The Gate Stack/shallow Junction Challenge for Sub-100 nm Technology Generations”, Electrochemical Society Proceedings Volume 2001-2, page 223-241
【発明の開示】
【発明が解決しようとする課題】
【０００５】
窒化シリコンまたは酸窒化シリコン膜を形成する技術は、化学気相成長（CVD）、遠隔プラズマ強化化学気相成長（RPECVD）、低圧急速熱化学気相成長（RTCVD）、ジェット気相成長（JVD）、遠隔プラズマ窒化物形成（RPN）を有するその場蒸気発生（ISSG）、及び垂直高圧炉(PHP)内での窒化シリコンの再酸化を含む。これらの技術の各々において、窒素を所望の深さまで拡散し、かつ窒素と二酸化シリコンとの間の化学反応を促進するために加熱が要求される。しかし、要求された加熱は薄い絶縁層を超えて窒素を拡散し、製造中のデバイス内の他のドープ材料の不所望な拡散を生じさせる。
【０００６】
したがって、超薄型絶縁層及び金属層を形成するための改良された方法が必要である。
【課題を解決するための手段】
【０００７】
本発明の第１の態様に従い、基板上に薄膜を形成するための方法が与えられる。当該方法は、ドーパント材料を含む薄い表面層を基板上に形成する工程と、５０オングストロームまたはそれ以下の厚さを有する絶縁膜、金属膜またはシリサイド膜を形成するべくドーパント材料と表面層との間に反応を生じさせるように選択された処理パラメータでドープされた表面層を短時間熱処理する工程と、から成る。
【０００８】
ある実施例において、薄い表面層を形成する工程は薄い表面層をドーパント材料の低エネルギーイオンでプラズマドーピングする工程から成る。他の実施例において、薄い表面層を形成する工程は薄い表面層をドーパント材料の低エネルギーイオンでイオン注入する工程から成る。さらに他の実施例において、薄い表面層を形成する工程は薄い表面層とドーパント材料を化学気相成長する工程から成る。
【０００９】
薄い表面層は窒素、ハフニウム、ジルコニウム及びその組合せでドープされる。薄い表面層は酸化シリコン膜から成る。ある実施例において、薄い表面層を形成する工程は窒素でドープされた薄い酸化シリコン層を形成する工程から成る。
【００１０】
薄い表面層は厚さが５０オングストロームまたはそれ以下である。ある実施例において、薄い表面層は厚さが３０オングストロームまたはそれ以下である。他の実施例において、薄い表面層は厚さが２０オングストロームまたはそれ以下である。
【００１１】
ある実施例において、短時間熱処理工程はドープされた表面層をフラッシュ急速熱処理する工程から成る。フラッシュ急速熱処理は基板を中間温度まで急速に加熱する工程と、ドープされた表面層を中間温度より高い最終温度までフラッシュ加熱する工程とから成る。他の実施例において、短時間熱処理工程はドープされた表面層を非溶融レーザー処理する工程から成る。
【００１２】
好適実施例において、ドーパント材料と薄い表面層との間の反応は高い誘電率を有する絶縁層を形成する。
【００１３】
本発明の他の態様に従い、シリコン基板上に薄膜層を形成する方法が与えられる。当該方法は、窒素を含むドープされた酸化シリコン層をシリコン基板上に形成する工程と、窒化シリコン、酸窒化シリコンまたはその両方を形成するべく窒素と酸化シリコンとの間に反応を生じさせかつ基板中への窒素の大きな拡散を避けるように選択されたパラメータでドープされた酸化シリコン層を短時間熱処理する工程と、から成る。
【発明を実施するための最良の形態】
【００１４】
MOSデバイスの一例の拡大断面図が図１に示されている。図１は単純化されており一定の縮尺で描かれていない。井戸10（ｐ形井戸またはｎ形井戸）がアイソレーション領域14と16との間のシリコン基板12内に形成される。ゲート電極20がチャネル22を覆って形成される。ゲート電極20はゲート絶縁層18によってチャネル22から電気的に絶縁される。比較的浅いソース／ドレイン延長部24がチャネル22の反対端から比較的深いソース及びドレイン領域26、28へそれぞれ延びる。ゲート電極20の側面の側壁スペーサ32はソース及びドレイン領域26、28の注入を容易にする。さらにMOSデバイスはチャネルストップ34及び閾値調節36を含む。基板12上に形成された典型的なCMOS集積回路は、周知のように複数のｎ形MOSデバイス及び複数のｐ形MOSデバイスをCMOS構造内部に含んでいる。
【００１５】
上記したように、寸法が減少しかつ動作速度が増加したデバイスは、絶縁層18が極端に薄くかつ高い誘電率を有することを要求する。絶縁層を形成する従来の技術は超薄型層を形成するのに満足できるものではなかった。そのような層は５０オングストロームまたはそれ以下の厚さを有することを要求される。
【００１６】
本発明の態様に従い、基板上に薄膜層を形成するための方法が与えられる。当該方法は、ドーパント材料を含む薄い表面層を基板上に形成する工程と、ドーパント材料と表面層との間に反応を生じさせるよう選択されたパラメータでドープされた表面層を短時間熱処理する工程と、から成る。ドーパント材料を含む薄い表面層はさまざまな技術によって形成される。例えば、薄膜は基板上に蒸着または成長され、かつ薄膜はプラズマドーピング装置を使ったプラズマドーピングによりドープされるかまたはビームラインイオン注入装置によるイオン注入によりドープされる。他の実施例において、ドープされた表面層は化学気相成長または他の周知の蒸着技術によって形成される。ドープされた表面層の短時間熱処理は、例えばフラッシュ急速熱処理または非溶融レーザー処理によって実行される。短時間熱処理工程のパラメータは、表面層から基板中へのドーパント材料の大きな拡散を避けると同時に表面層とドーパント材料との間で所望の反応が生じるように選択される。
【００１７】
本発明に係る処理により生成される薄膜層は、絶縁層、ドープされた金属層またはドープされたシリサイド層である。薄膜層の厚さは５０オングストロームまたはそれ以下である。ある実施例において薄膜層の厚さは３０オングストロームまたはそれ以下であり、他の実施例において薄膜層の厚さは２０オングストロームまたはそれ以下である。
【００１８】
さまざまな表面層材料及びドーパント材料が利用される。例として、表面層は酸化シリコン膜、金属膜またはシリサイド膜である。また例として、ドーパント材料は窒素、ハフニウムまたはジルコニウムである。これらのドーパント材料の組合せもまた使用できる。特定の実施例において、酸化シリコン層は窒化シリコン、酸窒化シリコンまたは両方の絶縁層を形成するよう窒素イオンでドープされる。
【００１９】
ドープされた表面層はさまざまな技術により形成される。ひとつのアプローチにおいて、厚さ５０オングストロームまたはそれ以下の薄膜が基板上に蒸着または成長される。その後、ドーパント材料がプラズマドーピングまたはビームラインイオン注入により薄膜内に注入される。ある実施例において、酸化膜が基板上に成長され、窒素がプラズマドーピングにより酸化膜中に注入される。他のアプローチにおいて、ドープされた表面層は化学気相成長により形成される。ドープされた表面層を形成するための他の適当な方法は、遠隔プラズマ強化化学気相成長（RPECVD）、低圧急速熱化学気相成長（RTCVD）、ジェット気相成長（JVD）、遠隔プラズマ窒化物形成（RPN）を有するその場蒸気発生（ISSG）、及び垂直高圧炉(PHP)内での窒化シリコンの再酸化を含む。
【００２０】
本発明を実施するのに適したプラズマドーピング装置の例が図２に略示されている。プラズマドーピングチャンバ110は密閉体積112を画成する。チャンバ110内に配置されたプラテン114は半導体ウエハ120のような被処理体を保持するための表面を与える。ウエハ120は例えばプラテン114の平坦面に対しその周縁が締められる。ある実施例において、プラテンはウエハ120を支持するための導電面を有する。他の実施例において、プラテンはウエハ120と結合するための導電ピン（図示せず）を含む。さらに他の実施例において、プラテンは静電ウエハクランプを含む。
【００２１】
陽極124がプラテン114と離隔されてチャンバ110内に配置されている。典型的に、陽極はチャンバ110の導電壁へ結合され、両者は接地されている。他の実施例において、プラテン114が接地され、陽極124がパルス化される。
【００２２】
ウエハ120及び陽極124はパルスソース130に接続され、ウエハ120は陰極として機能する。典型的にパルスソース130は、振幅が約１００から５０００ボルト、間隔が約１から５０マイクロ秒、及びパルス周期が１００Hzから２kHzのパルスを与える。これらのパルスパラメータ値は一例であり、本発明の態様内で他の値を使用することもできる。
【００２３】
制御されたガスソース136がチャンバ110へ接続されている。ガスソース136は被処理体内に注入するための所望のドーパントを含むイオン性ガスを供給する。イオン性処理ガスの例として、BF3、N2、Ar、PH3、AsH3、及びB2H6が含まれる。制御装置は一定流量及び一定圧力で処理ガスの連続流を与える。プラズマドーピング装置の構造及び動作に関する付加的な情報は、ここに参考文献として組み込む、Liebertらの２０００年２月１日発行の米国特許第6,020,592号、Goecknerらの２００１年２月６日発行の米国特許第6,182,604号、及びGoecknerらの２００２年１月１日発行の米国特許第6,335,536号に開示されている。
【００２４】
動作中、ウエハ120はプラテン114上に配置される。制御されたガスソース136はチャンバ110内に所望の圧力及びガス流量を生成する。パルスソース130はウエハ120に連続するパルスを印加し、その結果ウエハ120と陽極124との間のプラズマ放電領域148内にプラズマ140が形成される。周知のように、プラズマ140はガスソース136からのイオン性ガスの正イオンを含み、ウエハ120の表面付近にプラズマシースを有する。パルス中に陽極124とプラテン114との間に存在する電場は、プラズマ140からプラズマシースを横切ってプラテン114の方向へ正イオンを加速する。加速されたイオンはドーパント材料の領域を形成するべくウエハ120内に注入される。パルス電圧は正イオンを所望の深さまで注入するよう選択される。パルスの数及びパルス間隔はウエハ120内にドーパント材料の所望のドーズ量を与えるよう選択される。
【００２５】
上記したように、本発明の態様に従って基板上に薄膜層を形成するための方法は、ドーパント材料を含む薄い表面層を基板上に形成する工程と、ドーパント材料と表面層との間に反応を生じさせるよう選択されたパラメータでドープされた薄い表面層を短時間熱処理する工程とから成る。図２を参照して、ガスソース136はドーパント材料を含むガスをチャンバ110へ供給する。絶縁層を形成するための適当なドーパント材料の例として、窒素、ハフニウム及びジルコニウムが含まれるが、これらに限定されない。これらと他のドーパント材料の組合せも利用可能である。ガスはプラズマ140内でイオン化され、そのイオンはウエハ120の表面の薄い層内に注入される。薄い表面層は、例えば酸化シリコン膜である。パルスソース130の電圧は、表面層内の所望の深さまでドーパント材料のイオンを注入するよう調節される。注入エネルギー及び対応する注入深さは生成される薄膜層の所望の厚さと一致するかまたはほとんど一致するように選択される。典型的に深さは５０オングストロームまたはそれ以下の範囲内にあり、したがって非常に低いエネルギーが要求される。
【００２６】
ドープされた表面層の形成に続き、短時間熱処理工程が実行される。短時間熱処理工程のパラメータは、表面層から基板内へドーパント材料を大きく拡散させることなく、表面層とドーパント材料との間に反応が生じるように選択される。ここで使用される短時間熱処理とはドープされた表面層が約１００ミリ秒またはそれ以下の時間、より好適には約１０ミリ秒またはそれ以下の時間の間所望の温度で加熱される処理を言う。
【００２７】
ひとつのアプローチにおいて、短時間熱処理はフラッシュRTP処理として実行される。フラッシュRTP処理は、(1)中間温度まで基板を急速に加熱する工程と、(2)基板が中間温度まで加熱されると同時に、最終温度までドープされた表面層を非常に急速に加熱する工程を含む。最終温度は中間温度より高く、第２工程の時間間隔は第１工程の時間間隔より短い。例として、フラッシュRTP処理の第１工程は約０.１から１０秒の範囲の時間に約５００℃から８００℃の範囲の中間温度まで基板を加熱する工程を含む。第２工程は約０.１から１００ms好適には約０.１から１０msの範囲の時間に約１０００℃から１４１０℃好適には約１１５０℃から１３５０℃の範囲の温度までドープされた表面層を加熱する工程を含む。
【００２８】
フラッシュRTPを実行するための装置の例が図３に示されている。ウエハ120は基板200及び薄い表面層210（スケールは無視）を含む。タングステンハロゲンランプ220が表面層210と反対側のウエハに近接して配置される。キセノンフラッシュランプ222及び反射板224が表面層210と同じ側のウエハ120に近接して配置される。RTP処理の第１工程の間、ランプ220が付勢され、基板200はランプ220によって中間温度まで加熱される。その後、基板200が中間温度になると、フラッシュランプ222が付勢され、光の強いパルスが表面層210へ印加され最終温度まで急速に上昇する。フラッシュランプ222の動作は数ミリ秒のオーダーである。表面層210の最終温度はドーパント材料と表面層との間で反応を生じさせるのに十分であるが、最終温度での時間間隔は表面層210から基板200へのドーパント材料の大きな拡散を避けるために十分に短い。フラッシュRTP処理は、例えばItoらの “Flash Lamp Anneal Technology for Effectively Activating Ion Implanted Si”, Extended Abstracts of the 2001 International Conference on Solid-State Device and Materials, Tokyo, 2001, page 182-183に記載されている。
【００２９】
他の実施例において、短時間熱処理は、表面層または基板を溶融させずに表面層とドーパント材料との間に所望の反応を生じさせるようレーザーエネルギーパラメータが選択されるところの 非溶融(sub-melt)レーザー処理と呼ばれる処理でのレーザーエネルギーによってドープされた表面層を照射することによって実行される。ウエハを照射するのに使用されるレーザーエネルギー密度は、好適に約１０ミリ秒以下でシリコンを溶融させない約１１００℃から１４１０℃の範囲の温度まで急速に薄い表面層を加熱するよう選択される。好適には、レーザーエネルギー密度は、３０８ナノメートルの波長及び２０ナノ秒のパルス幅で約０.５０から０.５８ジュール/cm2の範囲である。非溶融レーザー処理に関する詳細はここに参考文献として組み込む２００１年９月２７日に公開された国際公開WO01/71787に開示されている。
【００３０】
非溶融レーザー処理装置の単純化された略示図が図４に示されている。レーザー300はウエハ120の表面層210へレーザービーム310を方向付ける。レーザービーム310は、レーザービーム310の走査により、ウエハ120の機械的並行移動により、またはビーム走査とウエハ並行移動の組合せによりウエハ120表面全体にわたって分配される。ある実施例において、レーザービーム310は３０８ナノメートルの波長を有する。非溶融レーザーアニールを実行するためのひとつの適当な装置はVerdent Technologiesから入手可能なLA-100であり、それはここに説明されるような非溶融レーザー処理を実行するよう変更され得る。
【００３１】
本発明の実施例に従う処理は図５のフロー図に要約されている。工程400で、ドーパント材料を含む薄い表面層が基板の表面上に形成される。上記したように、ドープされた表面層は蒸着または酸化後にドーパント材料を低エネルギー注入することにより形成される。他に、ドープされた表面層は化学気相成長または他の蒸着技術によって形成されてもよい。工程402で、ドープされた表面層の短時間熱処理が実行される。短時間熱処理の例として、上記したフラッシュRTP及び非溶融レーザー処理が含まれる。短時間熱処理のパラメータは、薄膜を超えるドーパント材料の大きな拡散を回避して、薄膜とドーパント材料との間に反応を生じさせるよう選択される。反応により絶縁層のような所望の薄膜層が形成される。
【００３２】
本発明の好適実施例が示され説明されてきたが、特許請求の範囲に記載された発明の態様から離れることなくさまざまな変更及び修正が可能であることは当業者の知るところである。
【図面の簡単な説明】
【００３３】
【図１】図１は、典型的なMOSトランジスタの単純化された断面図である。
【図２】図２は、プラズマドーピング装置の略示図である。
【図３】図３は、フラッシュ急速熱処理装置の略示図である。
【図４】図４は、非溶融レーザー処理システムの略示図である。
【図５】図５は、本発明の実施例に従う薄膜層を形成するための処理のフロー図である。
【図１】
2005522892.tif 000003
【図２】
2005522892.tif 000004
【図３】
2005522892.tif 000005
【図４】
2005522892.tif 000006
【図５】
2005522892.tif 000007
【国際調査報告】
2005522892.tif 000008
2005522892.tif 000009
2005522892.tif 000010
2005522892.tif 000011
2005522892.tif 000012